(57)【要約】      （修正有）【課題】信号光と参照光の波面が軸対照で、記録容量に優れたポリト方式におけるホログラフィックメモリを小型化する手段を提供する。【解決手段】ホログラフィックメモリは、レーザ光源２０１と、レーザ光源から出射した光ビームを信号光と参照光とに分離する分離素子２０５と、信号光２０６を光情報記録媒体１に集光する集光レンズ２１０と、参照光２１２を光情報記録媒体１に照射する照射レンズ２２１と、参照光２１２の光軸角度を変調する参照光角度変調機構２２１と、集光レンズ２１０と、照射レンズ２２１を同時に所定方向に駆動できる２レンズ駆動機構２１１を備えさせる。また、２レンズ駆動機構２１１の駆動方向は、参照光角度変調機構２２１で参照光２１２の光軸角度が変調される方向と直交する方向とする。また、集光レンズ２１０と照射レンズ２２１は参照光角度変調機構２２１で参照光２１２の光軸角度が変調される方向に傾けて配置させる。【選択図】図２
2012069207.tif 000002
【特許請求の範囲】
【請求項１】
信号光と参照光を用いホログラフィを利用して、光記録媒体に情報を記録および／または光記録媒体から再生するホログラフィックメモリにおいて、
該ホログラフィックメモリは、
レーザ光源と、
前記レーザ光源から出射した光ビームを信号光と参照光とに分離する分離素子と、
前記信号光に情報を付与する空間変調器と、
前記信号光を前記光記録媒体に集光する集光レンズと、
前記参照光を前記光記録媒体に照射する照射レンズと、
前記参照光の光軸角度を変調する参照光角度変調機構と、
を少なくとも備え、
前記集光レンズと、前記照射レンズを同時に所定方向に駆動できるレンズ駆動機構を備えたことを特徴とするホログラフィックメモリ。
【請求項２】
請求項１記載のホログラフィックメモリであって、
該ホログラフィックメモリは、
前記２レンズ駆動機構の駆動方向は、前記参照光角度変調機構で参照光の光軸角度が変調される方向と直交する方向としたことを特徴とするホログラフィックメモリ。
【請求項３】
請求項２記載のホログラフィックメモリであって、
該ホログラフィックメモリは、
前記集光レンズと前記照射レンズは前記参照光角度変調機構で参照光の光軸角度が変調される方向に傾けて配置させたことを特徴とするホログラフィックメモリ。
【請求項４】
請求項３記載のホログラフィックメモリであって、
該ホログラフィックメモリは、
前記集光レンズと前記照射レンズとを一体成型で製造される集光照射一体成型レンズを用いたことを特徴とするホログラフィックメモリ。
【請求項５】
信号光と参照光を用いホログラフィを利用して、光記録媒体に情報を記録および／または光記録媒体から再生するホログラフィックメモリにおいて、
該ホログラフィックメモリは、
レーザ光源と、
前記レーザ光源から出射した光ビームを信号光と参照光とに分離する分離素子と、
前記信号光に情報を付与する空間変調器と、
前記参照光の光軸角度を変調する参照光角度変調機構と、
前信号光を前記光記録媒体に集光するレンズ機能と前記参照光を前記光記録媒体に照射するレンズ機能と持った集光照射一体成型レンズと、
前記集光照射一体成型レンズを所定方向に駆動できるレンズ駆動機構と、
を備えるホログラフィックメモリ。
【発明の詳細な説明】
【技術分野】
【０００１】
ホログラフィを用いたホログラフィックメモリとそれに用いる光学ヘッドに関する。
【背景技術】
【０００２】
特許文献１に、ポリト方式におけるホログラフィックメモリが記載されている。特許文献２に、コリニア方式におけるホログラフィックメモリが記載されている。特許文献３に、モノキュラー方式におけるホログラフィックメモリが記載されている。
【先行技術文献】
【特許文献】
【０００３】
【特許文献１】特開２００７―１９９２３２号公報
【特許文献２】特開２００７―３０４２６３号公報
【特許文献３】特開２００８―２２６４３３号公報
【発明の概要】
【発明が解決しようとする課題】
【０００４】
現在、青紫色半導体レーザを用いた、Ｂｌｕ−ｒａｙ  Ｄｉｓｃにより、民生用においても５０ＧＢ程度の記録密度を持つ光ディスクの商品化が可能となってきた。
【０００５】
今後は、光ディスクでも５００ＧＢ〜１ＴＢというＨＤＤ（Ｈａｒｄ  Ｄｉｓｃ  Ｄｒｉｖｅ）容量と同程度まで大容量化が望まれる。
【０００６】
しかしながら、このような高密度を光ディスクで実現するためには、今までの様な短波長化と対物レンズ高ＮＡ化による従来の高密度技術のトレンドとは異なった新しいストレージ技術が必要となる。
【０００７】
有望な次世代のストレージ技術として、ホログラフィを用いデジタル情報を記録するホログラフィックメモリがある。
【０００８】
ホログラフィックメモリとは、空間光変調器により２次元的に変調されたページデータの情報を有する信号光と、参照光とを光記録媒体の内部で重ね合わせ、その時に生じる干渉縞パターンによって光記録媒体内の屈折率を変調せることで情報を記録する技術である。ホログラフィックメモリに用いる光記録媒体を従来同様円盤のディスク形状を想定し、以下では光記録媒体を光ディスクと記すこととする。また、光ディスク内に生じた干渉縞パターンのことをホログラムと記す。
【０００９】
また情報の再生時には、記録時に用いた参照光を同じ配置で光ディスクに照射すると、光ディスクに記録されているホログラムが回折格子のように作用して回折光を生じる。この回折光が記録した信号光と位相情報を含めて同一の光として再生される。
【００１０】
再生された信号光は、ＣＭＯＳやＣＣＤなどの光検出器を用いて２次元的に高速に検出される。このようにホログラフィックメモリでは、１つのホログラムで２次元的な情報を同時に記録／再生され、また同じ場所に複数のページデータを重ね書きすることができるため、大容量かつ高速な情報の記録再生に有効である。
【００１１】
ホログラフィックメモリとして、例えば特開２００７―１９９２３２号公報（特許文献１）がある。本公報には、信号光をレンズで光ディスクに集光すると同時に、平行光である参照光を照射して干渉させてホログラムの記録を行い、さらに参照光の光ディスクへの入射角度を変えながら異なるページデータを空間光変調器に表示して多重記録を行う、いわゆるポリト方式が記載されている。
【００１２】
特許文献１と異なるホログラフィックメモリとして、例えば特開２００７―３０４２６３号公報（特許文献２）がある。本公報には、１つの空間光変調器において内側の画素からの光を信号光、外側の輪帯状の画素からの光を参照光として、両光束を同じレンズで光ディスクに集光し、レンズの焦点面付近で信号光と参照光を干渉させてホログラムを記録するシフト多重方式を用いた、いわゆるコリニア方式が記述されている。
【００１３】
さらに特許文献１や２と異なる、ホログラフィックメモリとして、例えば特開２００８―２２６４３３号公報（特許文献３）がある。本公報には、ポリト方式における信号光束と参照光を１個のレンズで光ディスクに集光させることで、光学部品の共通化する、いわゆるモノキュラー方式が記載されている。
【００１４】
特許文献１のようなポリト方式は、参照光と信号光束とを大きく異なる角度で入射するため、光学系の大型化が課題であった。
【００１５】
特許文献３では、特許文献１の大型化の課題を回避することができるが、信号光束と参照光が各々レンズの中心からずれるため、光ディスクに集光される光ビームの波面が非対称になる点が課題である。
【００１６】
特許文献２では、信号光と参照光をレンズの中心部と外周部で分けるため、角度多重が使用できない。コリニア方式は角度多重ができないため、再生性能を確保するために、ポリト方式に比べ記録容量に劣る。
【００１７】
そこで本発明では、信号光と参照光の波面が軸対照で、記録容量に優れたポリト方式におけるホログラフィックメモリを小型化する手段を提供することを目的とする。
【課題を解決するための手段】
【００１８】
上記目的は、一例として、特許請求の範囲に記載の発明により達成される。
【００１９】
例えば、ホログラフィックメモリは、レーザ光源と、レーザ光源から出射した光ビームを信号光と参照光とに分離する分離素子と、信号光を光ディスクに集光する集光レンズと、参照光を光ディスクに照射する照射レンズと、参照光の光軸角度を変調する参照光角度変調機構と、集光レンズと、照射レンズを同時に所定方向に駆動できる２レンズ駆動機構を備えさせる。
【００２０】
また、２レンズ駆動機構の駆動方向は、参照光角度変調機構で参照光の光軸角度が変調される方向と直交する方向とする。
【００２１】
また、集光レンズと照射レンズは参照光角度変調機構で参照光の光軸角度が変調される方向に傾けて配置させる。
【発明の効果】
【００２２】
本発明によれば、信号光と参照光の波面が軸対照で、記録容量に優れたポリト方式におけるホログラフィックメモリを小型化できる。
【図面の簡単な説明】
【００２３】
【図１】実施例１におけるホログラフィックメモリの構成図を示す。
【図２】実施例１における光学ヘッドの構成図を示す。
【図３】実施例１におけるホログラフィックメモリの記録、再生の動作フローを示す。
【図４】実施例２における光学ヘッドの構成図を示す。
【発明を実施するための形態】
【００２４】
以下、図に示す実施例に基づいて詳細に説明するが、これによりこの本発明が限定されるものではない。
【実施例１】
【００２５】
本発明における実施例１について図を用いて詳細に説明する。
図１はホログラフィックメモリ１０の構成を示したものである。
【００２６】
ホログラフィックメモリ１０は、光学ヘッド１１、位相共役光学系１２、ディスクＣｕｒｅ光学系１３、ディスク回転角度検出用光学系１４ならびに回転モータ５０を備えており、光ディスク１は回転モータ５０によって回転可能な構成となっている。
【００２７】
光学ヘッド１１は、参照光と信号光を光ディスク１に出射してホログラフィを利用してデジタル情報を記録する役割を果たす。
【００２８】
この際、記録する情報信号はコントローラ８９によって信号生成回路８６を介して光学ヘッド１１内の後述する空間光変調器に送り込まれ、信号光は該空間光変調器によって変調される。
【００２９】
光ディスク１に記録した情報を再生する場合は、光学ヘッド１１から出射された参照光の位相共役光を位相共役光学系１２によって生成する。ここで位相共役光とは、入力光と同一の波面を保ちながら逆方向に進む光波のことである。該位相共役光によって再生される再生光を光学ヘッド１１内の後述する光検出器によって検出し、信号処理回路８５によって信号を再生する。
【００３０】
光ディスク１に照射する参照光と信号光の照射時間は、光学ヘッド１１内の後述するシャッタの開閉時間をコントローラ８９によってシャッタ制御回路８７を介して制御することで調整できる。
【００３１】
ディスクＣｕｒｅ光学系１３は、光ディスク１のプリキュアおよびポストキュアに用いる光ビームを生成する役割を果たす。ここでプリキュアとは、光ディスク１内の所望の位置に情報を記録する際、該所望位置に参照光と信号光を照射する前に予め所定の光ビームを照射する前工程の事である。またポストキュアとは、光ディスク１内の所望の位置に情報を記録した後、該所望の位置に追記不可能とするために所定の光ビームを照射する後工程の事である。
【００３２】
ディスク回転角度検出用光学系１４は、光ディスク１の回転角度を検出するため用いられる。光ディスク１を所定の回転角度に調整する場合は、ディスク回転角度検出用光学系１４によって回転角度に応じた信号を検出し、検出された信号を用いてコントローラ８９によってディスク回転モータ制御回路８８を介して光ディスク１の回転角度を制御する事が出来る。
【００３３】
光源駆動回路８２からは所定の光源駆動電流が光学ヘッド１１、ディスクＣｕｒｅ光学系１３、ディスク回転角度検出用光学系１４内の光源に供給され、各々の光源からは所定の光量で光ビームを発光することができる。
【００３４】
また、光学ヘッド１１、位相共役光学系１２、ディスクＣｕｒｅ光学系１３は、光ディスク１の半径方向に位置をスライドできる機構が設けられており、アクセス制御回路８１を介して位置制御がおこなわれる。
【００３５】
ところでホログラフィを利用した記録技術は、高密度な情報を記録可能な技術であるがゆえに、例えば光ディスク１の傾きや位置ずれに対する許容誤差が極めて小さくなる傾向がある。それゆえ光学ヘッド１１内に、例えば光ディスク１の傾きや位置ずれ等、許容誤差が小さいずれ要因のずれ量を検出する機構を設けて、サーボ信号生成回路８３にてサーボ制御用の信号を生成し、サーボ制御回路８４を介して該ずれ量を補正するためのサーボ機構をホログラフィックメモリ１０内に備えても良い。
【００３６】
また光学ヘッド１１、位相共役光学系１２、ディスクＣｕｒｅ光学系１３、ディスク回転角度検出用光学系１４は、いくつかの光学系構成または全ての光学系構成をひとつに纏めて簡素化しても構わない。
【００３７】
図２は、ホログラフィックメモリ１０における光学ヘッド１１の光学系構成の一例を示したものである。
【００３８】
図では、光源２０１を出射した光ビームの中心光軸を一点鎖線、光ビーム外側を実線にて図示している。
【００３９】
光源２０１を出射した光ビームはコリメートレンズ２０２を透過し、平行な光ビームとなってシャッタ２０３に入射する。シャッタ２０３が開いている時は、光ビームはシャッタ２０３を通過した後、例えば２分の１波長板などで構成される光学素子２０４によってＰ偏光とＳ偏光の光量比が所望の比になるように偏光方向を制御された後、ＰＢＳ（Ｐｏｌａｒｉｚａｔｉｏｎ    Ｂｅａｍ  Ｓｐｌｉｔｔｅｒ）プリズム２０５に入射する。ＰＢＳプリズム２０５で信号光２０６と参照光２１２に分離される。
【００４０】
信号光２０６は、ＰＢＳプリズム２０７を経由して空間光変調器２０８に入射する。
【００４１】
空間光変調器２０８によって情報を付加された信号光２０６はＰＢＳプリズム２０７を反射し、所定の入射角度の光ビームのみを通過させるアングルフィルタ２０９を伝播する。その後、信号光２０６は集光レンズ２１０によって光ディスク１に集光する。
【００４２】
一方、ＰＢＳプリズム２０５を反射した参照光２１２は、偏光方向変換素子２１９によって記録時または再生時に応じて所定の偏光方向に設定された後、ミラー２１４を経由してレンズ２１５に入射する。
【００４３】
レンズ２１５は参照光２１２を照射レンズ２２１のバックフォーカス面に集光させる機能がある。照射レンズ２２１のバックフォーカス面にて一度集光された参照光２１２は、照射レンズ２２１によって再度平行な光ビームとなって光ディスク１に照射される。
【００４４】
このように信号光２０６と参照光２１２を光ディスク１において、互いに重ね合うように入射させることで、光ディスク１内には干渉縞パターンが形成され、このパターンを光ディスク１内に書き込むことで情報を記録する。また参照光角度変調機構２２１によって光ディスク１に照射される参照光２１２の照射角度を図中矢印２５０の方向に変化させることで、角度多重による記録が可能である。
【００４５】
記録した情報を再生する場合は、前述したように参照光２１２だけを光ディスク１に照射する。光ディスク１を透過した参照光２１２をガルバノミラー２１６にて反射させることで、その位相共役光を生成する。位相共役光は参照光２１２の光路と重なるため図示はない。
【００４６】
位相共役光が再び光ディスク１に照射されると、再生光が生成される。再生光は信号光２１６の光路と重なるため図示はない。この再生光は、集光レンズ２１０、アングルフィルタ２０９を伝播する。その後、再生光はＰＢＳプリズム２０７を透過して光検出器２１８に入射し、記録した信号を再生することができる。
【００４７】
さて、再生するときには、周囲温度の変化によって光ディスクが膨張するため、記録したときと同じ参照光２１２を照射しても良好な再生光が得られない。このため、参照光２１２の光ディスク１への照射角度を変えることで光ディスクの膨張による再生光の劣化を防止しなければならない。
【００４８】
そこで、光学ヘッド１１では、集光レンズ２１０と照射レンズ２２１を紙面と直交する方向に駆動するレンズ駆動機構２１１が備わっている。レンズ駆動機構２１１は、一般的な電磁誘導の原理を用いることで実現できるアクチュエータを想定している。参号光２１２の光ディスク１への照射角度は、レンズ駆動機構２１１によって照射レンズ２２１が変位することで紙面直交方向に変調することができる。
【００４９】
すなわち、光学ヘッド１１では、矢印２５０の方向に参照光２１２の角度を変調する参照光角度変調機構２２１が備わっているだけでなく、紙面直交方向に参照光２１２の角度を変調するレンズ駆動機構２１１も備わっているため、光ディスクの膨張による再生光の劣化を良好に防止することができる。
【００５０】
光学ヘッド１１では、集光レンズ２１０と照射レンズ２２１を用いているため、信号光２０６も参照光２１２もレンズの中心を通過する。信号光２０６も参照光２１２も軸対称な波面となる効果が得られる。この効果をえるには、レンズ駆動機構２１１上で、集光レンズ２１０と照射レンズ２２１の面は図のように傾けている。  
なお、光学ヘッド１１の光学系構成は図２に限定されるものではなく、光源２０１から出射した光ビームを信号光と参照光に分離し、信号光と参照光を図のように集光レンズ２１０、照射レンズ２２１で光ディスクへ集光、照射できる構成であればなんでも良い。
【００５１】
図３は、ホログラフィックメモリ１０における記録、再生の動作フローを示したものである。ここでは、特にホログラフィを利用した記録再生に関するフローを説明する。
【００５２】
図３（ａ）は、ホログラフィックメモリ１０に光ディスク１を挿入した後、記録または再生の準備が完了するまでの動作フローを示し、図３（ｂ）は準備完了状態から光ディスク１に情報を記録するまでの動作フロー、図３（ｃ）は準備完了状態から光ディスク１に記録した情報を再生するまでの動作フローを示したものである。
【００５３】
図３（ａ）に示すように媒体を挿入すると、ホログラフィックメモリ１０は、例えば挿入された媒体がホログラフィを利用してデジタル情報を記録または再生する媒体であるかどうかディスク判別を行う。
【００５４】
ディスク判別の結果、ホログラフィを利用してデジタル情報を記録または再生する光ディスク１であると判断されると、ホログラフィックメモリ１０は光ディスク１に設けられたコントロールデータを読み出し、例えば光ディスク１に関する情報や、例えば記録や再生時における各種設定条件に関する情報を取得する。
【００５５】
コントロールデータの読み出し後は、コントロールデータに応じた各種調整や光学ヘッド１１に関わる学習処理を行い、ホログラフィックメモリ１０は、記録または再生の準備が完了する。
【００５６】
準備完了状態から情報を記録するまでの動作フローは図３（ｂ）に示すように、まず記録するデータを受信して、該データに応じた情報を光学ヘッド１１内の空間光変調器に送り込む。
【００５７】
その後、光ディスク１に高品質の情報を記録できるように、必要に応じて各種学習処理を事前に行い、シーク動作ならびにアドレス再生を繰り返しながら光ヘッド１１ならびにディスクＣｕｒｅ光学系１３の位置を光ディスク１の所定の位置に配置する。
【００５８】
その後、ディスクＣｕｒｅ光学系１３から出射する光ビームを用いて所定の領域をプリキュアし、光学ヘッド１１から出射する参照光と信号光を用いてデータを記録する。
【００５９】
データを記録した後は、必要に応じてデータをベリファイし、ディスクＣｕｒｅ光学系１３から出射する光ビームを用いてポストキュアを行う。
【００６０】
準備完了状態から記録された情報を再生するまでの動作フローは図３（ｃ）に示すように、光ディスク１から高品質の情報を再生できるように、必要に応じて各種学習処理を事前に行う。その後、シーク動作ならびにアドレス再生を繰り返しながら光学ヘッド１１ならびに位相共役光学系１２の位置を光ディスク１の所定の位置に配置する。
【００６１】
その後、光学ヘッド１１から参照光を出射し、光ディスク１に記録された情報を読み出す。
【実施例２】
【００６２】
本発明における実施例２について図を用いて詳細に説明する。
図４は実施例２における光学ヘッド３００の構成を示したものである。光学ヘッド３００は、光学ヘッド１１と集光照射一体成型レンズ３０１を搭載した点が異なる。
【００６３】
集光照射一体成型レンズ３０１は集光レンズ２１０と照射レンズ２２１を一体に成型したレンズである。通常の成型レンズでは、コバなどがレンズ周辺に形成されるが、２個のレンズを近接させる場合に邪魔になる。ホログラフィックメモリ１０を小型化する場合、光学ヘッド１１を縮小することで実現できる。しかし縮小していくと集光レンズ２１０と照射レンズ２２１を近接させなければならず、コバなどが邪魔になり小型化が困難になる。そこで光学ヘッド３００は、集光レンズ２１０と照射レンズ２２１を一体で成型する集光照射一体成型レンズ３０１を用いることで、小型化を実現するものである。
【００６４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６５】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６６】
１・・・光ディスク、１０・・・ホログラフィックメモリ、１１・・・光学ヘッド、２０１・・・光源、２０２・・・コリメートレンズ、２０５・・・偏光ビームスプリッタ、２０６・・・信号光、２０８・・・空間光変調器、２１０・・・集光レンズ、２１１・・・レンズ駆動機構、２１２・・・参照光、２２１・・・照射レンズ、２１８・・・光検出器、２１９・・・偏光方向変換素子、
２２１・・・参照光角度変調機構、３０１…集光照射一体成型レンズ
【図１】
2012069207.tif 000003
【図２】
2012069207.tif 000004
【図３】
2012069207.tif 000005
【図４】
2012069207.tif 000006